(57)【特許請求の範囲】
【請求項１】
ダム底部に大砂利、中砂利、小砂利、砂を積層した濾過層を有しない既設型砂防ダムに貯水された河川水を取水し浄水処理して配水池に貯水して、需要に応じて前記配水池から浄化水を供給するための給水設備であって、
前記既設型砂防ダム底部に設けた水抜き口と、
前記既設型砂防ダムの正面底部に設けられ、前記既設型砂防ダム内を浸透する浸透水を前記水抜き口から取り出す浸透水取出部と、
該浸透水取出部に設け、前記浸透水の濁度を計測する浸透水濁度計と、
前記既設型砂防ダムの越流部に原水の濁度を計測する原水濁度計と、
前記浸透水取出部から前記配水池に給水するための取水路に設けた一の電動給水弁と、
該一の電動給水弁が設けられた位置より上流側の前記取水路から分岐した排水路に設けた一の電動排水弁と、
前記浸透水濁度計の濁度、前記原水濁度計の濁度及び前記配水池の貯水量に基づき前記一の電動給水弁及び前記一の電動排水弁を開閉制御する制御部と、
前記一の電動給水弁及び前記一の電動排水弁により給配された浸透水を浄化する浄水処理部と、
該浄水処理部を経た浄化水が前記配水池に貯水されるまでに前記浄化水の菌繁殖度を計測し、その繁殖程度に応じて滅菌剤を投入して滅菌処理を行う滅菌部と、
前記浄水処理部を経た浄化水が前記配水池に貯水されるまでに前記浄化水の濁度を計測する浄化水濁度計及び前記浄化水の残塩を計測する浄化水残塩計からなる計測部と、
を備え、
前記滅菌部で計測された菌繁殖度の計測値、前記計測部の前記浄化水濁度計で計測された浄化水濁度の計測値及び前記計測部の前記浄化水残塩計で計測された浄化水塩分量の計測値に基づき、前記浄水処理部の濾過層の洗浄時期が決定され、
前記配水池には前記浄水処理部を経た浄化水が満杯である満水線と該満水線より下方に位置する規定水位線があらかじめ設定されており、
前記制御部は、
前記配水池の貯水量が前記満水線から低下した場合においては、前記原水濁度計の濁度レベルが規定値を越えると前記配水池の貯水量に拘わらず前記一の電動給水弁及び前記一の電動排水弁を閉鎖し、前記原水濁度計の濁度レベルが規定値未満となったとしても前記配水池の貯水量が前記満水線にあるとき、あるいは前記配水池の貯水量が前記満水線から前記規定水位線まで低下しても前記一の電動給水弁及び前記一の電動排水弁を閉鎖し、前記原水濁度計の濁度レベルが規定値未満となり前記配水池の貯水量が前記規定水位線未満となり前記浸透水濁度計の濁度レベルが規定値以上であれば前記一の電動給水弁を閉鎖し前記一の電動排水弁を開放し、前記原水濁度計の濁度レベルが規定値未満となり前記配水池の貯水量が前記規定水位線未満となり前記浸透水濁度計の濁度レベルが規定値未満であれば前記一の電動給水弁を開放し前記一の電動排水弁を閉鎖し、
前記配水池に前記浄水処理部を経た浄化水が補給され前記配水池の貯水量が前記満水線になる場合には、前記原水濁度計の濁度レベルが規定値を越えると前記一の電動給水弁及び前記一の電動排水弁を閉鎖し、前記原水濁度計の濁度レベルが規定値未満であっても前記浸透水濁度計の濁度レベルが規定値以上であれば前記一の電動給水弁及び前記一の電動排水弁を閉鎖し、前記原水濁度計の濁度レベルが規定値未満であって前記浸透水濁度計の濁度レベルが規定値以下であれば、前記配水池の貯水量が前記規定水位線に達するか否かにかかわらず、前記一の電動給水弁を開放し前記一の電動排水弁を閉鎖するとともに、前記配水池の貯水量が前記満水線に到達すると前記一の電動給水弁及び前記一の電動排水弁を閉鎖し、
前記配水池の貯水量が前記満水線を越える場合には、前記原水濁度計の濁度レベル及び前記浸透水濁度計の濁度レベルに拘わらず前記一の電動給水弁及び前記一の電動排水弁を閉鎖する、
ように制御される
ことを特徴とする既設型砂防ダムから取水する河川水の給水設備。
【発明の詳細な説明】
【技術分野】
【０００１】
本発明は、既設型砂防ダムから取水した河川水を工業用水や飲料用水として利用するための給水設備に関する。
【背景技術】
【０００２】
小さな渓流などに設置される土砂災害防止のための設備のひとつとして砂防ダムが知られており、上部には「水通し」と呼ばれる越流部を設け、同時に砂防ダム本体底部近傍に水抜き穴を設けたものが一般的である。そして山地や渓流からの土砂の流出を防ぐためだけでなく、土砂と共に流れ込む河川水を取水して給水用として利用するために、越流部に取水用桶を設けた取水装置も知られている（例えば、特許文献１参照）。
一方ダム構築時にダム上部の越流部に第１集水部と、ダム上流側底部に施設した濾過層を透過した浸透水を集水管により集めた第２集水部とを形設して、濁度濃度に応じて第１集水部及び第２集水部からの河川水を取り分けて利用する取水装置も知られている（例えば、特許文献２参照）。
【先行技術文献】
【特許文献】
【０００３】
【特許文献１】特開２０１４−１０９１３３号公報（図１、２）
【特許文献２】特開２００９−１７４２１５号公報（図２、３）
【発明の概要】
【発明が解決しようとする課題】
【０００４】
しかしながら、特許文献１に記載の取水装置にあっては、砂防ダムの越流部に取水用桶を設けるだけであるので、木、草、泥、砂利、大石、玉石などが砂防ダムの築堤まで満杯になった既設の砂防ダムであっても取水装置として利用可能であるが、越流部からの取水であるため、玉石や流水木が流れ込む長雨や大雨の時には取水装置に設けた防塵スクリーン保護のために折畳む必要があり、管理が煩雑であるばかりでなく、河川水の水量が少ない時期は、工業用水や飲料用水として利用可能な一定の水量を確保するのが困難であった。
【０００５】
一方特許文献２に記載の取水装置は、ダム上部の越流部に設けた第１集水部と、ダム側底部に設けた第２集水部とを用い、濁りの程度に応じて第１集水部あるいは第２集水部から取水しているので、工業用水や飲料用水として利用可能な濁りの少ない一定の水量を確保することはできるが、第２集水部はダム上流側底部に施設した濾過層を透過した河川水を集水管を介して集めるようにしているので、泥や砂利などが砂防ダムの築堤まで満杯になった既設の砂防ダムの底部に、新たに濾過層や集水管を敷設することはコスト面から困難であった。
【０００６】
本発明は、このような問題点に着目してなされたもので、玉石や流水木で築堤まで満杯になった既設の砂防ダムであっても濁度濃度が基準以下の工業用水や飲料用水として利用可能な浄化水を安定的に確保すると共に、濁水の浄水処理部への流入を防いでその耐久性の向上を図ることができる給水設備を提供することを目的とする。
【課題を解決するための手段】
【０００７】
前記課題を解決するために、本発明の請求項１に記載の既設型砂防ダムから取水する河川水の給水設備は、
ダム底部に大砂利、中砂利、小砂利、砂を積層した濾過層を有しない既設型砂防ダムに貯水された河川水を取水し浄水処理して配水池に貯水して、需要に応じて前記配水池から浄化水を供給するための給水設備であって、
前記既設型砂防ダム底部に設けた水抜き口と、
前記既設型砂防ダムの正面底部に設けられ、前記既設型砂防ダム内を浸透する浸透水を前記水抜き口から取り出す浸透水取出部と、
該浸透水取出部に設け、前記浸透水の濁度を計測する浸透水濁度計と、
前記既設型砂防ダムの越流部に原水の濁度を計測する原水濁度計と、
前記浸透水取出部から前記配水池に給水するための取水路に設けた一の電動給水弁と、
該一の電動給水弁が設けられた位置より上流側の前記取水路から分岐した排水路に設けた一の電動排水弁と、
前記浸透水濁度計の濁度、前記原水濁度計の濁度及び前記配水池の貯水量に基づき前記一の電動給水弁及び前記一の電動排水弁を開閉制御する制御部と、
前記一の電動給水弁及び前記一の電動排水弁により給配された浸透水を浄化する浄水処理部と、
該浄水処理部を経た浄化水が前記配水池に貯水されるまでに前記浄化水の菌繁殖度を計測し、その繁殖程度に応じて滅菌剤を投入して滅菌処理を行う滅菌部と、
前記浄水処理部を経た浄化水が前記配水池に貯水されるまでに前記浄化水の濁度を計測する浄化水濁度計及び前記浄化水の残塩を計測する浄化水残塩計からなる計測部と、
を備え、
前記滅菌部で計測された菌繁殖度の計測値、前記計測部の前記浄化水濁度計で計測された浄化水濁度の計測値及び前記計測部の前記浄化水残塩計で計測された浄化水塩分量の計測値に基づき、前記浄水処理部の濾過層の洗浄時期が決定され、
前記配水池には前記浄水処理部を経た浄化水が満杯である満水線と該満水線より下方に位置する規定水位線があらかじめ設定されており、
前記制御部は、
前記配水池の貯水量が前記満水線から低下した場合においては、前記原水濁度計の濁度レベルが規定値を越えると前記配水池の貯水量に拘わらず前記一の電動給水弁及び前記一の電動排水弁を閉鎖し、前記原水濁度計の濁度レベルが規定値未満となったとしても前記配水池の貯水量が前記満水線にあるとき、あるいは前記配水池の貯水量が前記満水線から前記規定水位線まで低下しても前記一の電動給水弁及び前記一の電動排水弁を閉鎖し、前記原水濁度計の濁度レベルが規定値未満となり前記配水池の貯水量が前記規定水位線未満となり前記浸透水濁度計の濁度レベルが規定値以上であれば前記一の電動給水弁を閉鎖し前記一の電動排水弁を開放し、前記原水濁度計の濁度レベルが規定値未満となり前記配水池の貯水量が前記規定水位線未満となり前記浸透水濁度計の濁度レベルが規定値未満であれば前記一の電動給水弁を開放し前記一の電動排水弁を閉鎖し、
前記配水池に前記浄水処理部を経た浄化水が補給され前記配水池の貯水量が前記満水線になる場合には、前記原水濁度計の濁度レベルが規定値を越えると前記一の電動給水弁及び前記一の電動排水弁を閉鎖し、前記原水濁度計の濁度レベルが規定値未満であっても前記浸透水濁度計の濁度レベルが規定値以上であれば前記一の電動給水弁及び前記一の電動排水弁を閉鎖し、前記原水濁度計の濁度レベルが規定値未満であって前記浸透水濁度計の濁度レベルが規定値以下であれば、前記配水池の貯水量が前記規定水位線に達するか否かにかかわらず、前記一の電動給水弁を開放し前記一の電動排水弁を閉鎖するとともに、前記配水池の貯水量が前記満水線に到達すると前記一の電動給水弁及び前記一の電動排水弁を閉鎖し、
前記配水池の貯水量が前記満水線を越える場合には、前記原水濁度計の濁度レベル及び前記浸透水濁度計の濁度レベルに拘わらず前記一の電動給水弁及び前記一の電動排水弁を閉鎖する、
ように制御される
ことを特徴としている。
本発明の手段１の既設型砂防ダムから取水する河川水の給水設備は、
既設型砂防ダムに貯水された河川水を取水し浄水処理して配水池に貯水して、需要に応じて配水池から浄化水を供給するための給水設備であって、
前記既設型砂防ダム底部に設けた浸透水取出部と、該浸透水取出部に設けた浸透水濁度計と、前記浸透水取出部から配水池に給水するための取水路に設けた駆動弁部と、前記浸透水濁度計の濁度濃度に基づき前記駆動弁部を給排制御する制御部と、前記駆動弁部により給配された浸透水を浄化する浄水処理部と、該浄水処理部を経た浄化水を貯水する配水池とを備えていることを特徴とする。
この特徴によれば、浸透水取出部が既設型砂防ダム底部に設けた水抜き穴より浸透水を取り出すようにしているので、既設の水抜き穴を利用することが可能であり、浸透水取出部の構築が容易であるばかりでなく、浸透水自体がある程度濾過された水であることから土砂の混入が少ない浸透水を確保でき、かつ浸透水取出部から取り出された浸透水を濁度濃度に基づき制御部により配水池に給水するか、排水するかの選択を駆動弁部で行い、濁度濃度の低い浸透水のみを浄水処理部に給水することで、浄水処理部での浄化のための負担を減らし、浄水処理部の耐久性の向上を図ることができる。
【０００８】
本発明の手段２の既設型砂防ダムから取水する河川水の給水設備は、
前記駆動弁部は、前記取水路に設けた電動給水弁と、該電動給水弁が設けられた位置より上流側の取水路から分岐した排水路に設けた電動排水弁で構成されていることを特徴とする。
この特徴によれば、給水電動弁と排水電動弁を個別に制御することができるので、浸透水の給排を迅速に切り換えることができる。
【０００９】
本発明の手段３の既設型砂防ダムから取水する河川水の給水設備は、
前記既設型砂防ダムの越流部に原水の濁度濃度を検出する原水濁度計を備え、該原水濁度計による原水の濁度濃度が所定レベル以上である場合には、前記電動給水弁及び電動排水弁を閉鎖することを特徴とする。
この特徴によれば、砂防ダムの越流部を超えてきた原水の濁度濃度が所定レベル以上であれば、給水電動弁及び排水電動弁を閉鎖するので、砂防ダムに流れ込んだ河川水の全量が砂防ダムに貯水されると共に、一部が越流するので、多量の雨水や土砂崩れにより水が濁った場合に、浸透水が給水電動弁を通過して浄水処理部へ流れ込むことがなく浄水処理部の洗浄作業の負担が軽減できる。また多量の雨水で越流部での河川水の流れが急速になれば、ダム底部側からの逆洗浄作用が起こり、ダム内に堆積した砂利や石等の間に挟まれた木、草、泥等を一気に洗い流すことができる。
【００１０】
本発明の手段４の既設型砂防ダムから取水する河川水の給水設備は、
前記既設型砂防ダムの越流部に原水の濁度濃度を検出する原水濁度計を備え、該原水濁度計による原水の濁度濃度が所定レベル未満となった場合には前記電動排水弁を解放し、更に浸透水濁度計の濁度濃度レベルが規定基準未満になれば、前記電動排水弁を閉鎖すると共に電動給水弁を開放することを特徴とする。
この特徴によれば、原水の濁度濃度が所定レベル未満になった場合には電動排水弁のみを開放して排水、排砂、排泥を行い、その後浸透水濁度計が規定基準以下になったところで電動排水弁を閉鎖すると共に電動給水弁を開放するので、濁度濃度の基準を満たした浸透水を浄水処理部へ送ることが可能となり、浄水処理部の耐久性の向上を図ることができる。
【００１１】
本発明の手段５の既設型砂防ダムから取水する河川水の給水設備は、
前記配水池の貯水量が満水ラインを超える場合には、濁度濃度に拘わらず前記電動給水弁及び電動排水弁を閉鎖することを特徴とする。
この特徴によれば、配水池の貯水量が満水ラインを超えれば、電動給水弁及び電動排水弁は閉鎖するので、砂防ダムに流入する河川水はダム内の既に貯水され水と交じり合って流れ、ダム内の不純物が越流水によって除去される機会が増え、配水池の貯水量が満水ラインを超える毎に砂防ダムの浄水作用が行える。
【図面の簡単な説明】
【００１２】
【図１】本発明の実施例における給水設備の概要を示す説明図である。
【図２】既設型砂防ダムの正面図である。
【図３】図２のＡ−Ａ断面である。
【図４】本発明の給水設備の全体概略図である。
【図５】配水池の水位が満水状態から徐々に低下していく状態における原水濁度計と浸透水濁度計との濁度レベルと電動給水弁と電動排水弁との開閉状態を示す説明図である。
【図６】配水池の水位が低位の位置から満水状態に向かっていく状態における原水濁度計と浸透水濁度計との濁度レベルと電動給水弁と電動排水弁との開閉状態を示す説明図である。
【発明を実施するための形態】
【００１３】
本発明に係る河川における給水設備１を実施例に基づいて以下に説明する。
【実施例】
【００１４】
実施例に係る河川における給水設備１につき、図１から図４を参照して説明する。以下、図３及び図４の紙面左側を河川の上流側として説明する。既設型砂防ダム３は長年に亘って底に流木や砂利、泥等が堆積し、クリプト藻等の藻類が繁殖しているため、直接飲料水として用いることはできない。
【００１５】
図１は本発明の給水設備１の概要を示す説明図であって、河川に設けられた既設型砂防ダム３から浸透水取出部５を介して採取した水を、取水路８により駆動弁部７、浄水処理部９そして配水池１１を経て工業用水や飲料水等として需要部１３に配水を行う装置である。
【００１６】
既設型砂防ダムは既に砂防ダムとして建設されていて、既にダム内に流木や砂利、泥等が堆積されているものとして説明する。本発明でいう既設型砂防ダムとは、近年上流に道路を開通する場合にわずかな雨でも濁り水が入り込んでしまうことを防ぐため、砂防ダムの建設段階でダムの底に大砂利、中砂利、小砂利、砂を積層した濾過層を有するもが知られているが、このような濾過槽を有した砂防ダムは除外するものであって、従来の土砂の流れを食い止める防災ダムとし構築した従来のタイプの砂防ダムに本発明の給水設備を備えていれば、新規に構築したものであっても本発明でいう既設型砂防ダムに含まれるものと定義する。
【００１７】
図２に示すように、既設型砂防ダム３の越流部３Ｂには防塵スクリーン４ａを備えた集水器４が設けられ、防塵スクリーン４ａにより濾過された河川水の原水が集水器４に集められ、その原水は原水濁度計４Ａにより越流部３Ｂにおける原水の濁度が計測される。
【００１８】
先ず、既設型砂防ダム３について説明すると、図２及び図３に示すように、既設型砂防ダム３は、河川を堰き止める堤体３Ａと、この堤体３Ａから越流部３Ｂを越流する河川水を取水可能に設けられた防塵スクリーン４ａを備えた集水器４と、該集水器４で取水された河川水の濁度を測定する原水濁度計４Ａ（図２参照）に接続される検水管４ｂとが設けられていると共に、既設型砂防ダム３の底部に設けた三つの水抜き口３ａ、３ｂ、３ｃから、ダムの浸透水を取り出す浸透水取出部５が設けられている。原水濁度計４Ａによって測定された濁度情報は逐次制御部１５に送信される。
【００１９】
水抜き口の数は既設型砂防ダムの形式や規模が異なるので、給水量を考慮し適宜使用する水抜き口の数を選択して浸透水取出部５を構構築する。浸透水取出部５は、本実施例の場合、三つの水抜き口３ａ、３ｂ、３ｃすべてを使用する例であり、水抜き口３ａ、３ｂ、３ｃのダム上流側には防塵フィルタ（図示せず）を取り付けると共に、下流側は既設型砂防ダム３から突出させた接続管５ａと、該接続管５ａからの浸透水を集水する集水管５ｂと、集水管５ｂには集水した浸透水を配水池１１側に送る取水路８の一部として構成される浸透水取出管８ａとで構成している。
【００２０】
また集水管５ｂには浸透水の濁度を測定する浸透水濁度計５Ａに接続される検水管５ｃが設けられている。浸透水濁度計５Ａによって測定された濁度情報は逐次制御部１５に送信される。
【００２１】
本発明で使用する砂防ダムは既設型砂防ダム３であるので、図３に示したように、集水管５ｂに集積される水は、既に木、草、泥、砂利、大石、玉石などが堆積した層を浸透してきた浸透水であり、堤体３Ａから越流した原水に比べ濁度濃度のレベルは低い。
【００２２】
次に図４に基づき、本発明の給水設備１において、既設型砂防ダム３から配水池１１までの浸透水の流れについて説明する。集水管５ｂから取り出された浸透水は浸透水取出管８ａより流量計量弁６を介して、電動給水弁７Ａと電動排水弁７Ｂから成る駆動弁部７に導水される。
電動給水弁７Ａ及び電動排水弁７Ｂは制御部１５からの信号により開閉制御される。給水弁と排水弁が電動で個別制御できるので浸透水の給排を迅速に切り換えることができる。
【００２３】
電動給水弁７Ａが開弁状態になると、浸透水取出管８ａ内の浸透水は取水路８の中継部の一部として構成され第１中継導管８ｂより浄水処理部９に導水される。一方電動排水弁７Ｂが開弁状態になると、浸透水取出管８ａ内の浸透水は電動給水弁７Ａが設けられた位置より上流側の第１中継導管８ｂから分岐した排水路として構成された排水管８ｃより河川等に排水させることができる。
【００２４】
第１中継導管８ｂにより浄水処理部９に導水された浸透水は濾過槽により濾過され、小さな異物が取り除かれた状態の濾過浸透水が第２中継導管８ｄより配水池１１に導水される。濾過槽は、例えば上部の砂層９ａと下部の砂利層９ｂとで積層された一般的なものであるが、特にこのような層配列に限定されるものではなく、荒砂層や豆砂利層等を適宜加えたり、浸透水の濁度、色度、臭気等に応じては、濾過槽を構成するこれら各層をより薄層または厚層として濾過能力を調整してもよい。
【００２５】
浄水処理部９で濾過された濾過浸透水は第２中継導管８ｄにより配水池１１に導水されるまでに滅菌部１０で濾過浸透水の菌繁殖度を測り、その繁殖程度に応じて滅菌剤を投入する滅菌処理を行うと共に、濁度計１２Ａ及び残塩計１２Ｂから成る計測部１２により濁度及び塩分量を計測する。そして菌繁殖度、濁度及び塩分量の計測数値に基づき浄水処理部９の濾過槽の洗浄時期を決定する。
【００２６】
配水池１１に導水された濾過浸透水はその蓄積量を水位計１１Ａにより計測する。水位が満杯である満水線ＦＬと規定水位線ＳＬがあらかじめ設定されており、水位が満水線ＦＬに到達すると、配水池１１が満杯であるという情報を制御部１５に送る。また水位が規定水位線ＳＬに満たない時は、配水池１１に濾過浸透水を受け入れ可能であるという情報を制御部１５に送ることにより駆動弁部７の開閉制御を行うことができる。
【００２７】
次に制御部１５と駆動弁部７の電動給水弁７Ａと電動排水弁７Ｂとの開閉制御との関係を、満水状態から徐々に水位が低下した場合につき図５に基づき説明する。
【００２８】
原水濁度計４Ａの濁度レベルが規定値Ｌ１を超えていると制御部１５が判断すれば、配水池１１の水位に関係なく電動給水弁７Ａと電動排水弁７Ｂは共に全閉（閉鎖）状態Ｃとなり、既設型砂防ダム３に流入する河川水は第１中継導管８ｂ及び排水管８ｃには導入されない。したがって濾過槽への泥水の混入は避けられ浄水処理部９の処理負担が軽減できる。
【００２９】
特に大雨等により土砂が多量に流入する場合には、原水濁度計４Ａの濁度レベルが規定値Ｌ１を超え電動給水弁７Ａと電動排水弁７Ｂは全閉状態Ｃとなっているために、既設型砂防ダム３の越流部３Ｂを越える水量が多量となり砂防ダム内も逆洗作用により撹拌洗浄されるので、砂防ダム内が大雨ごとに清掃されることになる。
【００３０】
次に原水濁度計４Ａの濁度レベルが規定値Ｌ１未満となった場合には配水池１１の水位によって電動給水弁７Ａと電動排水弁７Ｂの開閉状態が変わってくる。先ず配水池１１の水位が満杯である満水線ＦＬにあるときは、原水濁度計４Ａ及び浸透水濁度計５Ａの濁度レベルに拘わらず、電動給水弁７Ａと電動排水弁７Ｂは共に全閉（閉鎖）状態Ｃのままであり、需要部１３の消費に応じて水位が図４に示す規定水位線ＳＬまで低下しても依然として電動給水弁７Ａと電動排水弁７Ｂは共に全閉（閉鎖）状態Ｃにある。
【００３１】
満水線ＦＬと規定水位線ＳＬとにある程度の間隔をもたせたのは、満水線ＦＬより少し下がると配水池１１にすぐに濾過浸透水を導入することにより、電動給水弁７Ａと電動排水弁７Ｂの開閉作動頻度が多くなることを防ぐためである。
【００３２】
配水池１１の水位が規定水位線ＳＬ未満となり、浸透水濁度計５Ａの濁度レベルが規定値Ｌ２以上であれば、電動排水弁７Ｂは全開状態Ｏとなるが電動給水弁７Ａは全閉（閉鎖）状態Ｃを維持する。これにより浸透水取出管８ａからの浸透水は排水管８ｃより排水して初期段階において浸透水に混在している泥水が浄水処理部９へ送られないようにしている。
【００３３】
浸透水取出管８ａ内の濁度状態が安定し浸透水濁度計５Ａの濁度レベルがＬ２未満になれば、電動排水弁７Ｂを全閉（閉鎖）状態Ｃにし電動排水弁７Ｂを全開状態Ｏにして浸透水を第１中継導管８ｂより浄水処理部９に導水する。これにより浄水処理部９を経由した濾過浸透水が第２中継導管８ｄより配水池１１に導水され、配水池１１に濾過浸透水が補給される。
【００３４】
次に配水池１１に濾過浸透水が補給され満水線ＦＬの位置になるまでの電動給水弁７Ａと電動排水弁７Ｂとの開閉制御との関係を図６に基づき説明する。濾過浸透水が第２中継導管８ｄより配水池１１に導水されその水位は次第に上昇してくる。このような状況中であっても、原水濁度計４Ａの濁度レベルの規制値がＬ１以上になれば、直ちに電動給水弁７Ａと電動排水弁７Ｂは共に全閉（閉鎖）する。
【００３５】
また原水濁度計４Ａの濁度レベルの規制値がＬ１未満であっても、浸透水濁度計５Ａの濁度レベルがＬ２に以上となれば、直ちに電動給水弁７Ａと電動排水弁７Ｂは共に全閉（閉鎖）する。原水濁度計４Ａの濁度レベルの規制値がＬ１未満であって、浸透水濁度計５Ａの濁度レベルがＬ２未満であれば電動給水弁７Ａは全開状態Ｏとなり、配水池１１に濾過浸透水を補給し続ける。
【００３６】
配水池の水位が上昇し規定水位線ＳＬを超えても原水濁度計４Ａの濁度レベルの規制値がＬ１未満であって、浸透水濁度計５Ａの濁度レベルがＬ２未満である限り、電動排水弁７Ｂは全閉のまま電動給水弁７Ａのみ全開状態Ｏとなり、水位が満水線ＦＬに到達したところで電動給水弁７Ａは閉鎖され、配水池１１への濾過浸透水の補給が停止する。
【００３７】
以上、本発明の既設型砂防ダム３から取水する給水設備１において、既設型砂防ダムを利用することができるので、ダムに濾過槽を構築して需要部１３が要求する濁度レベルの低い浸透水を供給できる砂防ダムを新たに建設する必要はなく、しかも既設型砂防ダムが有していた水抜き穴を浸透水取出部５として利用することができるので給水設備１のコスト削減が図れる。
【００３８】
また浄水処理部９が既設型砂防ダムの外部にあるため、洗浄作業が楽であると共に、浄水処理部９に送水される浸透水は濁度レベルが給水に適する規定値Ｌ２以下であるため、浄水処理部９の耐久性の向上と定期的な洗浄作業頻度の低減を図ることができる。
【００３９】
砂防ダムの越流部３Ｂを超えてきた原水の濁度濃度が所定レベルＬ１以上であれば、電動給水弁７Ａ及び電動排水弁７Ｂを閉鎖するので、多量の雨水や土砂崩れにより水が濁った場合に、浸透水が電動給水弁７Ａを通過して浄水処理部９へ流れ込むことがなく浄水処理部９の洗浄作業負担が軽減できると共に、越流部３Ｂでの河川水の流れが急速になれば、ダム底部側からの逆洗浄作用が起こり、ダム内に堆積した砂利や石等の間に挟まれた木、草、泥等を一気に洗い流すこともできる。
【００４０】
原水の濁度濃度が所定レベルＬ１未満になった場合には排水電動弁のみを開放して排水、排砂、排泥を行い、その後浸透水濁度計５Ａが規定基準Ｌ２未満になったところで電動排水弁７Ｂを閉鎖すると共に電動給水弁７Ａを開放するので、濁度濃度の基準を満たした浸透水を浄水処理部９へ送ることが可能となり、浄水処理部９の耐久性の向上を図ることができる。
【００４１】
配水池１１の貯水量が満水線ＦＬを超えれば、電動給水弁７Ａ及び電動排水弁７Ｂは閉鎖するので、既設型砂防ダム３に流入する河川水はダムにすでに貯水されている水と交じり合って流れるので、越流水の作用でダム内の不純物が除去される機会が増え、長年使用されて放置状態の既設型砂防ダム３であっても、砂防ダム３内の浄水作用は配水池１１の貯水量が満水線ＦＬを超える毎に行われることになる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例では、既に砂防ダムとして建設されていて、ダム内に流木や砂利、泥等が堆積した既設型砂防ダム３として説明してきたが、新設の砂防ダムであっても、給水の目的で濾過槽等をダム内に敷設していないものは、本発明でいう既設型砂防ダムとして解釈する。
【００４４】
前記実施例では、浄水処理部９として上部の砂層９ａと下部の砂利層９ｂとで積層したタイプのものを使用しているが、微生物のバイオフィルム形成によって水を浄化する緩速濾過方式や、濾過をする前に硫酸アルミニウムやポリ塩化アルミニウムなど凝集剤によって細かい粒子を凝集させる急速濾過方式を採用してもよい。
【００４５】
濾過槽のメンテナンスは、所定の期間を設定して制御部１５により自動的に行うようにしてもよいし、濾過槽の濾過状態を点検して制御部１５に設けた逆洗作動ボタン（図示せず）の手動操作で、電動給水弁７Ａと電動排水弁７Ｂを閉鎖して行うようにしてもよい。
【００４６】
尚、本発明では原水濁度計４Ａ及び浸透水濁度計５Ａによる濁度レベルを計測して駆動弁部７を制御しているが、濁度だけでなく色度あるいは臭気等も検出し、濁度レベルだけでなく色度や臭気等の許容レベルを加味して駆動弁部７を制御するようにしてもよい。
【符号の説明】
【００４７】
１                給水設備
３                既設型砂防ダム
５                浸透水取出部
７                駆動弁部
７Ａ              電動給水弁
７Ｂ              電動排水弁
８                取水路
９                浄水処理部
１１              配水池
１３              需要部
１５              制御部
【図１】
0006574141.tif 000002
【図２】
0006574141.tif 000003
【図３】
0006574141.tif 000004
【図４】
0006574141.tif 000005
【図５】
0006574141.tif 000006
【図６】
0006574141.tif 000007